(57)【特許請求の範囲】
【請求項１】
単一の圧力流体供給源と、該圧力流体供給源から供給される圧力流体を複数に分岐する分流路と、少なくとも１つの分流路の枝管に設けられた複数の開閉弁と、当該複数の開閉弁の少なくとも２つ以上の各開閉弁の下流側に設けられたジェットポンプとを備え、
ジェットポンプは、分流路から開閉弁を介してジェットポンプに供給された圧力流体を噴射ノズルから負圧形成管内に噴射させて、負圧形成管の噴射ノズル側部分に負圧を形成するものであって、前記噴射ノズルは、開閉弁を介して供給された加圧ポンプからの圧力流体を噴射する第一噴射ノズル部分とその第一噴射ノズル部分の下流側に配設された第二噴射ノズル部分とを有し、第二噴射ノズル部分は吸気口に連通する吸気用隙間を開けた状態で第一噴射ノズル部分の下流側に配設し、第二噴射ノズル部分を第一噴射ノズル部分の噴口よりわずかに大径に形成するとともに、前記吸気口には吸入空気量を調節する調量弁を設けて、吸気用隙間から吸引された空気を第一噴射ノズル部分から噴射された圧力流体の全周から吸引して混気ジェット流を形成する混気部を第二噴射ノズル部分に形成し、当該混気部で形成された混気ジェット流を負圧形成管内に噴射し、負圧形成管の噴射ノズル側部分に形成された負圧を取り出す負圧供給口を噴射ノズルと負圧形成管との間に設けて、負圧形成管の下流側を上記負圧供給口から吸引された吸引物の流走路とし、開閉弁と、その下流側に設けられたジェットポンプの前記調量弁と、の各々を開閉操作してジェットポンプ毎に異なる作業用途に設定し、単一の圧力流体供給源を駆動して各作業用途に設定されたジェットポンプを稼動させることにより、複数のジェットポンプを用途の異なる複数の作業に同時に使用可能に構成したことを特徴とする多目的作業に同時に使用可能なジェットポンプ装置。
【請求項２】
用途の異なる作業が、１つのプラント若しくは１の工場の構内で行なわれる１連の作業における吸引・脱水・搬送・混練・散水・洗浄の内のすくなくとも２つ以上の作業を含むものであることを特徴とする請求項１に記載の多目的作業に同時に使用可能なジェットポンプ装置。
【請求項３】
噴射ノズルの混気ジェット流の噴射方向の下流側に噴射ノズルより大径の高負圧形成用直管を噴射ノズルと同芯状に設け、高負圧形成用管の下流側に高負圧形成用直管より大径の多量負圧形成用直管を高負圧形成用直管と同芯状に設け、高負圧形成用直管と多量負圧形成用直管との境界部分を断面形状がベルマウス状に拡開された曲面若しくは直線状傾斜面で形成して負圧形成管を構成したことを特徴とする請求項１または請求項２に記載の多目的作業に同時に使用可能なジェットポンプ装置。
【発明の詳細な説明】
【技術分野】
【０００１】
本発明は、吸引、脱水、搬送、集塵、その他種々の作業に同時に使用可能なジェットポンプ装置に関するものである。
【背景技術】
【０００２】
一般に、吸引作業や浚渫作業、脱水作業や濾過作業等の各種の作業時には負圧が必要とされる。
そして、負圧を形成する場合の負圧形成装置としては、例えば吸込口と吹出口の中間にスロート部が形成された中細ノズル内に、スロート部の上流側から下流側に向かってジェット流を噴射して負圧を生じさせるジェット噴射孔を形成し、前記ジェット流によりスロート部に負圧を形成するようにしたエジェクター式の負圧形成装置が知られており、こうした負圧形成装置を各種の作業ごとにそれぞれ設けたり、１つの負圧形成装置で形成された負圧をレシーバタンク若しくはリザーブタンクに貯留し、このレシーバタンク若しくはリザーブタンクから各種の作業に分配したりしている。
【０００３】
したがって、上記の各種の作業のそれぞれに負圧形成装置をそれぞれ設けるようにしたものでは、装置が複雑になり、大型化するばかりでなく、その製造コストが嵩んでしまうという問題があった。
また、レシーバタンク若しくはリザーブタンクに貯留した負圧を分配するようにする場合には、各作業に供給される負圧のすべてが同じ負圧になるために、例えば一つの作業の負圧が低い場合、高い負圧を必要とする別の作業には使えないという問題があった。
【０００４】
一方、これらの作業と並行して搬送や撹拌等の作業を伴うことが多く、こうした場合、コンベア等の搬送手段やミキサ等の撹拌手段を更に付設しなくてはならず、上記問題点に加えて装置が複雑になり、更に装置が大型化してしまう上、製造コストやランニングコストも嵩んでしまうという問題もあった。
【特許文献１】特開２００２−３５６２２４号公報
【発明の開示】
【発明が解決しようとする課題】
【０００５】
本発明は上記問題点に鑑みて提案されたもので、１つの負圧形成装置で、負圧度の異なる作業にも使用することができるジェットポンプ装置（負圧形成装置）を提供できるようにすることを目的とするものである。
【課題を解決するための手段】
【０００６】
上記目的を達成するために本発明に係る多目的作業に同時に使用可能なジェットポンプ装置は、単一の圧力流体供給源と、該圧力流体供給源から供給される圧力流体を複数に分岐する分流路と、少なくとも１つの分流路の枝管に設けられた複数の開閉弁と、当該複数の開閉弁の少なくとも２つ以上の各開閉弁の下流側に設けられたジェットポンプとを備え、ジェットポンプは、分流路から開閉弁を介してジェットポンプに供給された圧力流体を噴射ノズルから負圧形成管内に噴射させて、負圧形成管の噴射ノズル側部分に負圧を形成するものであって、前記噴射ノズルは、開閉弁を介して供給された加圧ポンプからの圧力流体を噴射する第一噴射ノズル部分とその第一噴射ノズル部分の下流側に配設された第二噴射ノズル部分とを有し、第二噴射ノズル部分は吸気口に連通する吸気用隙間を開けた状態で第一噴射ノズル部分の下流側に配設し、第二噴射ノズル部分を第一噴射ノズル部分の噴口よりわずかに大径に形成するとともに、前記吸気口には吸入空気量を調節する調量弁を設けて、吸気用隙間から吸引された空気を第一噴射ノズル部分から噴射された圧力流体の全周から吸引して混気ジェット流を形成する混気部を第二噴射ノズル部分に形成し、当該混気部で形成された混気ジェット流を負圧形成管内に噴射し、負圧形成管の噴射ノズル側部分に形成された負圧を取り出す負圧供給口を噴射ノズルと負圧形成管との間に設けて、負圧形成管の下流側を上記負圧供給口から吸引された吸引物の流走路とし、開閉弁と、その下流側に設けられたジェットポンプの前記調量弁と、の各々を開閉操作してジェットポンプ毎に異なる作業用途に設定し、単一の圧力流体供給源を駆動して各作業用途に設定されたジェットポンプを稼動させることにより、複数のジェットポンプを用途の異なる複数の作業に同時に使用可能に構成したことを特徴とするものである。
【０００７】
さらに、本発明にかかる多目的作業に同時に使用可能なジェットポンプ装置では、用途の異なる作業が、１つのプラント若しくは１の工場の構内で行なわれる１連の作業における吸引・脱水・搬送・混練・散水・洗浄の内のすくなくとも２つ以上の作業を含むものであることも特徴とするものである。
【０００８】
加えて、本発明にかかる多目的作業に同時に使用可能なジェットポンプ装置は、噴射ノズルの混気ジェット流の噴射方向の下流側に噴射ノズルより大径の高負圧形成用直管を噴射ノズルと同芯状に設け、高負圧形成用管の下流側に高負圧形成用直管より大径の多量負圧形成用直管を高負圧形成用直管と同芯状に設け、高負圧形成用直管と多量負圧形成用直管との境界部分を断面形状がベルマウス状に拡開された曲面若しくは直線状傾斜面で形成して負圧形成管を構成したことも特徴の１つである。
【発明の効果】
【０００９】
本発明の多目的作業に同時に使用可能なジェットポンプ装置によれば、単一の圧力流体供給源と、該圧力流体供給源から供給される圧力流体を複数に分岐する分流路と、少なくとも１つの分流路の枝管に設けられた複数の開閉弁と、当該複数の開閉弁の少なくとも２つ以上の各開閉弁の下流側に設けられたジェットポンプとを備え、ジェットポンプは、分流路から開閉弁を介してジェットポンプに供給された圧力流体を噴射ノズルから負圧形成管内に噴射させて、負圧形成管の噴射ノズル側部分に負圧を形成するものであって、前記噴射ノズルは、開閉弁を介して供給された加圧ポンプからの圧力流体を噴射する第一噴射ノズル部分とその第一噴射ノズル部分の下流側に配設された第二噴射ノズル部分とを有し、第二噴射ノズル部分は吸気口に連通する吸気用隙間を開けた状態で第一噴射ノズル部分の下流側に配設し、第二噴射ノズル部分を第一噴射ノズル部分の噴口よりわずかに大径に形成するとともに、前記吸気口には吸入空気量を調節する調量弁を設けて、吸気用隙間から吸引された空気を第一噴射ノズル部分から噴射された圧力流体の全周から吸引して混気ジェット流を形成する混気部を第二噴射ノズル部分に形成し、当該混気部で形成された混気ジェット流を負圧形成管内に噴射し、負圧形成管の噴射ノズル側部分に形成された負圧を取り出す負圧供給口を噴射ノズルと負圧形成管との間に設けて、負圧形成管の下流側を上記負圧供給口から吸引された吸引物の流走路とし、開閉弁と、その下流側に設けられたジェットポンプの前記調量弁と、の各々を開閉操作してジェットポンプ毎に異なる作業用途に設定し、単一の圧力流体供給源を駆動して各作業用途に設定されたジェットポンプを稼動させることにより、複数のジェットポンプを用途の異なる複数の作業に同時に使用可能に構成してあるので、１つの負圧形成装置で、例えば、１つのプラント若しくは１の工場の構内で行なわれる１連の作業における吸引・脱水・搬送・混練・散水・洗浄の内のすくなくとも２つ以上の負圧度の異なる作業にも他の作業に影響を及ぼすことなく独立して使用することができる。
これにより、従来のような各種の作業ごとに負圧形成装置を設けるものに比べて、構造が簡素化されコンパクト化が図れるとともに、製造コストも安価にすることができる利点がある。
【００１０】
また、分流路に設けられたジェットポンプが混気部を有し、混気部は、噴射ノズルから混気管内にある圧力流体を噴射して混気管内に負圧を形成し、当該負圧で吸気口から吸引された外気を圧力流体に混合して混気ジェット流を形成し、該混気ジェット流を混気管から負圧形成管に噴射させるように構成してあるので、噴射直後の負圧形成管内に生じるキャビテーションを防止してジェットポンプの性能を高く維持できるので、多目的作業に同時に使用可能なジェットポンプ装置の省エネルギー化を図ることができる利点がある。
【００１１】
さらに、加圧ポンプにより形成された圧力水をジェット流として噴射する小孔からなる噴射ノズルのジェット流の噴射方向の下流側に噴射ノズルより大径の高負圧形成用直管を噴射ノズルと同芯状に設け、高負圧形成用管の下流側に高負圧形成用直管より大径の多量負圧形成用直管を高負圧形成用直管と同芯状に設け、高負圧形成用直管と多量負圧形成用直管との境界部分を断面形状がベルマウス状に拡開された曲面若しくは直線状傾斜面で形成するとともに、小径の噴射ノズルの近傍に負圧取り出し口を設けてジェットポンプを構成したものでは、高負圧形成用直管で仮想の連続ピストン部分を形成して高い負圧を形成するとき、この高い負圧が噴射ノズルの出口近傍に作用し、噴射ノズルからのジェット流が吸い出されるように負圧が作用する。
その結果、高い負圧になるほど噴射ノズルからのジェット流の吸い出し力も高まり、高負荷時の動力負荷が軽減されるので、高出力を必要とするほど多目的作業に同時に使用可能なジェットポンプ装置の省エネルギー化を図ることができる利点がある。
【発明を実施するための最良の形態】
【００１２】
以下、本発明にかかる多目的作業に同時に使用可能なジェットポンプ装置の最も好ましい実施の形態を図面に基づいて説明する。
図１は、洗浄、吸引、脱水、搬送の各作業を行うジェットポンプ装置の概略図であって、図中符号１はこのジェットポンプ装置を全体的に示す。
このジェットポンプ装置１は、１つの圧力水形成部（圧力流体供給源）２と、この圧力水形成部２で形成された圧力水を駆動源とする洗浄作業部３と、脱水作業部４と、搬送作業部５とを備えてなる。
【００１３】
圧力水形成部２は、貯水槽６と、貯水槽６に貯留された水７を吸引して加圧する加圧ポンプ８とからなり、加圧ポンプ８で加圧された圧力水は内部に分流路９が形成された分岐管１０を通じて図上左方の洗浄作業部３と、右方の脱水作業部４及び搬送作業部５とに分岐されて供給されるようになっている。
上記洗浄作業部３は、家屋や門扉、塀等の構築物１１の表面を洗浄するために、先端部に洗浄用噴射ノズル１２を設けた洗浄用ホース１３が開閉弁１４を介して分岐管１０に連結されて構成されている。
【００１４】
洗浄用噴射ノズル１２部分には、この洗浄用噴射ノズル１２からの圧力水の噴射を断続する手元操作用のコック１５が設けられている。
そして、洗浄用噴射ノズル１２から家屋や門扉、塀等の構築物１１の表面を洗浄するために水が噴射されると、貯水槽６の水７が少なくなることから、水源１６の水１７を吸引して上記貯水槽６に補給する後述するジェットポンプＭＪＰからなる水の補給手段１８が設けてある。
このジェットポンプＭＪＰには、開閉弁４９を介して分岐管１０に連結されており、圧力水が供給され、吸い上げ管５１から吸い上げられた水源１６の水１７は吐出管５２から貯水槽６に供給されて補給されるように構成されている。
【００１５】
上記脱水作業部４は、地盤改良や基礎打ち部分１９の湧き水等を除去するためのもので、上記加圧ポンプ８で加圧された圧力水を分岐管１０からさらに複数に枝管２０で分岐し、各枝管２０に脱水用のジェットポンプＭＪＰが供給用開閉弁２１を介して設けられており、このジェットポンプＭＪＰに圧力水が供給されて噴射されることにより、ジェットポンプＭＪＰ内に吸引用の負圧が形成され、その負圧で吸水管２３から地盤改良や基礎打ち部分１９の湧き水等を吸引して除去するように構成されている。
そして、脱水作業用のジェットポンプＭＪＰに吸引された水は、還流管２３により貯水槽６に還流するようになっている。
【００１６】
こうしたジェットポンプＭＪＰは、図２に示すように、圧力水をジェット流として噴射する小孔からなる噴射ノズル２４と、噴射ノズル２４から噴射されるジェット流の噴射方向の下流側に、噴射ノズル２４より大径の高負圧形成用直管部分（負圧形成管）２５と、高負圧形成用直管部分２５のさらに下流側に、当該高負圧形成用直管部分２５より大径の多量負圧形成用直管部分（負圧形成管）２６とがケーシング２７に噴射ノズル２４と同芯状に設けられて構成されている。
【００１７】
そして、高負圧形成用直管部分２５と多量負圧形成用直管２６の内部の境界部分２８は、その断面形状がベルマウス状に拡開された曲線状若しくは直線状の傾斜面で形成されており、噴射ノズル２４の近傍（噴射ノズル２４の先端部分と高負圧形成用直管部分２５との間のケーシング２７部分）には吸引口（負圧供給口）２９が設けられている。
因みに、上記境界部分２８をその断面形状がベルマウス状に拡開された曲面若しくは直線状傾斜面で形成してあるのは、この部分を急激に拡大する形状にしたときには当該隅部分に発生する乱流によりジェット流が攪乱されてその流勢が低下し、ジェットポンプＭＪＰの性能を十分に発揮させることができない等の悪影響が発生するため、当該部分を傾斜面にすることにより、ジェット流をこの傾斜面に沿わせて円滑に広げて前記のような悪影響を防止するためである。
【００１８】
また、上記噴射ノズル２４は混気ジェット用の噴射ノズル２４にしてある。
すなわち、この混気ジェット用の噴射ノズル２４は、特に図２に示すように加圧ポンプ８からの加圧水を噴射する第一噴射ノズル部分３０と、その第一噴射ノズル部分３０の噴口３１の近傍部分を覆い、第一噴射ノズル部分３０の噴口３１よりわずかに大径で短寸の混気部３２を形成した第二噴射ノズル部分３３を、吸気用隙間３４を開けた状態で配設し、第一噴射ノズル部分３０の噴口３１の近傍の第二噴射ノズル部分３１には吸気孔３５が穿設されている。
この吸気孔３５は、第一噴射ノズル部分３０の噴口３１の近傍部分を覆う第二噴射ノズル部分３３の外周とケーシング２７との間に環状に形成された空間３６を通じてケーシング２７に設けられたキャビテーションを防止するための空気導入用の吸気口（オリフィス）３７に連通しており、吸気口３７には調量弁３８が設けられている。
【００１９】
上記のように構成されたジェットポンプＭＪＰの吸引口２９には、図１に示すように、地盤改良や基礎打ち部分１９に挿入された吸引管２２が連結され、多量負圧形成用直管部分２６の開口端部は還流管２３を通じて貯水槽６に開口させてあり、吸引された水は加圧ポンプ８での高圧水に利用できるようになっている。
上記搬送作業部５は、前記洗浄作業部３の洗浄作業により、家屋や門扉、塀等の構築物１１の表面を洗い落とされてピット４１に流下して堆積した塵や固塊物等を図外の処理作業部に搬送するもので、密閉可能な貯留容器３９と、この貯留容器３９内を負圧にする吸引用のジェットポンプＭＪＰと、ジェットポンプＭＪＰで負圧にされた貯留容器３９内に吸引する吸引路４０と、貯留容器３９の底部に設けられた搬送物供給用開閉弁４２が開かれたときに、貯留容器３９内の塵や固塊物を吸引して流送させる搬送用のジェットポンプＭＪＰとで構成されている。
【００２０】
上記貯留容器３９内を負圧にするジェットポンプＭＪＰは、その噴射ノズル（図示せず）が分岐管１０から更に分岐した枝管４７に開閉弁４８を介して連結されており、搬送用のジェットポンプＭＪＰの噴射ノズル（図示せず）は分岐管１０に搬送用の開閉弁４３を介して連結されている。
この吸引用のジェットポンプＭＪＰ及び搬送用のジェットポンプＭＪＰの構造は図２を用いて説明した上述の脱水作業用のジェットポンプＭＪＰと同様の構造になっている。上記貯留容器３９は、下半部が下細りテーパー状の密閉可能な容器状に形成され、下端部が搬送用のジェットポンプＭＪＰの吸引口２９に搬送用の開閉弁を介して連通させてあり、この搬送物供給用ジェットポンプＭＪＰの噴射ノズル（図示せず）は搬送用の開閉弁４３を介して分岐管１０に連結されている。
【００２１】
尚、図１中符号４４は、上記の作業の他に、例えばコンクリート等のセメントミルクの混練作業や、煙や粉塵の吸着作業等の各種の作業用途の動力源として使用するために、分岐管１０から分岐された枝管４５に駆動用開閉弁４６を介して取りつけられた予備用のジェットポンプＭＪＰであって、駆動用開閉弁４６を開くだけでジェットポンプＭＪＰがすぐに使用できるようになっている。
【００２２】
上記のように構成された多目的作業に同時に使用可能なジェットポンプ装置１の作用を次に説明する。
先ず、貯水槽６内の加圧ポンプ８が駆動されると、貯水槽６の水７が吸引されて加圧され、分岐管１０内の分流路９に圧送される。
図１の左方の洗浄作業部３では、加圧された水が分流路９に供給され、開閉弁１４及び手元操作用コック１５が開かれると分流路９の高圧水が洗浄用ホース１３を経て洗浄用噴射ノズル１２から噴射され、家屋や門扉、塀等の構築物１１の表面を洗浄する。
家屋や門扉、塀等の構築物１１の表面を洗浄し、塵や固塊物を含んだ洗浄排水はピット４１に流下し、比重の大きな固塊物が当該ピット４１に堆積する。
【００２３】
一方、上記洗浄作業部３の洗浄作業の開始と同時に、図１の右方の脱水作業部４の供給用開閉弁２１が開かれると、この脱水作業部４のジェットポンプＭＪＰの駆動により発生した負圧で吸水管から地盤改良や基礎打ち部分１９の湧き水等が吸引されて除去される。そして、搬送作業部５では搬送供給用開閉弁４２が閉じられた状態で貯留容器３９内を負圧にする吸引用のジェットポンプＭＪＰに分岐管１０から枝管４７及び開閉弁４８を介して加圧水が供給されて、各ジェットポンプＭＪＰが起動される。
この吸引用のジェットポンプＭＪＰの起動により、貯留容器３９内が負圧にされると、この負圧で洗浄作業によりピット４１に堆積した比重の大きな塵や固塊物等が吸引路４０から貯留容器３９内に吸引されて貯留される。
【００２４】
貯留容器３９内に塵や固塊物が所定量貯留されると、吸引用のジェットポンプＭＪＰを停止し、貯留容器３９内を大気と同圧にする。
しかる後、貯留容器３９の底部に設けられた搬送物供給用開閉弁４２、及び分岐管１０に設けられた搬送用の開閉弁４３を開いて搬送用のジェットポンプＭＪＰを駆動し、この搬送用のジェットポンプＭＪＰに発生させた負圧で貯留容器３９内の比重の大きな塵や固塊物等を吸引し、ジェット流とともに図外の処理作業部に流走させて搬送する。
このように、洗浄作業部３と、脱水作業部４と、搬送作業部５との作業が、加圧ポンプ８で形成される１つの圧力水形成部２から供給される圧力水を駆動源として同時に行うことができるのである。
【００２５】
こうした脱水作業部４と、搬送作業部５の作業に使用されるジェットポンプＭＪＰの機能について次に詳述する。
加圧ポンプ８で加圧された圧力水が、分岐管１０から供給されて噴射ノズル２４の第一噴射ノズル部分３０から第二噴射ノズル部分３３の混気部３２に噴射されると、この混気部３２に形成された負圧により調量弁３８で調量された外気が吸気孔３５から吸引されて混気部３２を流走するジェット流の周囲に空気層を形成するとともに、ジェット流内にも混入されて混気ジェット流が形成される。
こうして形成された混気ジェットが第二噴射ノズル部分３３から高負圧形成用直管部分２５乃至多量負圧形成用直管部分２６に混気ジェット流が噴射されて流走する。
【００２６】
このとき、吸引口２９の負圧が弱い時（負圧度が低い時）、混気ジェット流は多量負圧形成用直管部分２６に飛び、当該多量負圧形成用直管部分２５で管内一杯に広がる。
そして、吸引口２９の負圧が強い時（負圧度が高い時）、混気ジェット流は多量負圧形成用直管部分２６の手前の高負圧形成用直管部分２５の管内一杯に広がる。
斯くして高負圧形成用直管部分２５や多量負圧形成用直管部分２６の管内一杯に広がった部分には後述するように混気ジェット流の下流側に向けて連続して作用する仮想の連続ピストン５０が形成される（図３参照）。
【００２７】
ここで仮想の連続ピストン５０について説明する。
図３では上記噴射ノズル２４を説明の便宜上、分岐管１０を通じて加圧ポンプ８からの圧力水をそのままジェット流Jとして噴射するものにしてある。
加圧ポンプ８からの圧力水が噴射ノズル２４から実線矢印で示す抵抗Rに打ち勝ちながら徐々に広がりながら流走してゆくのであるが、このジェット流Jの流走状態をミクロに見ると、無数の水滴が近接した状態で飛翔している。
そして、飛翔する水滴の下流側の空気は圧縮され、水滴の上流側には負圧が形成された状態になっている。
その結果、圧縮された空気は水滴の流勢で多量負圧形成用直管部分２６の開口側に押し出され、ここに多量負圧形成用直管部分２６の開口側（ジェット流Jの下流側）に向けて連続して作用する仮想の連続ピストン５０が形成されることになる。
【００２８】
尚、図１及び図２に示すように噴射ノズル２４から噴射されるジェット流が混気ジェット流である場合、その周囲に形成された空気層により、ジェット流の外方の静止している空気層並びに高負圧形成用直管部分２５乃至多量負圧形成用直管部分２６の内周面部分との間の摩擦を減じるので周囲の空気層の厚みが徐々に薄くなりながらも、ジェット流Jの流勢が減衰するのを防止する。
また、仮想の連続ピストン５０が形成される位置は、上述のように、この仮想の連続ピストン５０を形成する広がりが、加圧ポンプ８から供給される圧力水の圧力で発生するジェット流Jの流勢とこれに対抗する向きの実線矢印で示す抵抗Rとの相対的な力関係で形成される。
したがって、吸引口２９の負圧が弱い（負圧度が低い）時は噴射ノズル２４からのジェット流Jは遠くに飛び、多量負圧形成用直管部分２６で仮想の連続ピストン５０が形成され多量負圧形成用直管部分２６の断面積に相当した多量の負圧が形成される。
【００２９】
一方、吸引口２９の負圧が強い（負圧度が高い）時は噴射ノズルからのジェット流Jは当該強い負圧により、流勢が減衰されて仮想の連続ピストン５０が高負圧形成用直管部分２５に引き戻された状態になる。
しかして、仮想の連続ピストン５０が高負圧形成用直管部分２５に形成されるように負圧が強い時、その強い負圧は、噴射ノズル２４の噴口の近傍にも作用し、噴射ノズル２４からのジェット流が吸い出されるように作用する。
その結果、高い負圧になればなるほど、噴射ノズル２４からのジェット流Jの吸い出し力も高まり、高負荷時の加圧ポンプ８への動力負荷が軽減されることになる。
【００３０】
因みに、加圧ポンプ８に１つのジェットポンプＭＪＰを連結し、加圧ポンプ８の圧力が０．７５ｋｇ／平方ｃｍのものを用いて試験したところ、仮想の連続ピストン５０が多量負圧形成用直管部分で発生させたとき、大径の多量負圧形成用直管部分２６の断面積に相応した多量の負圧、すなわち、吸引口２９からの吸入量が多く得られた。
次に、仮想の連続ピストン５０が高負圧形成用直管部分２５で発生するように吸引口２９絞って、吸引口２９での負圧がゲージ圧で７００ｍｍＨｇ（高負荷状態）にした時に、加圧ポンプ８の圧力は０．６ｋｇ／平方ｃｍ弱にまで下がるのが確認された。
これにより、高い負圧になるほど噴射ノズルからのジェット流Ｊの吸い出し力も高まり、高負荷時の加圧ポンプ８への動力負荷を軽減することができる。
したがって、本発明のように、多目的作業に同時に使用し、負圧（負荷）が高い状態で使用する時にも圧力水形成部２の加圧ポンプへの負担を軽減することができるのである。
【００３１】
上記実施例ではジェットポンプＭＪＰを混気ジェットにしてあるが、作用を示す図３のように、噴射ノズル２４から高圧水流をそのままジェット流として噴射するようにしてもよいことはもちろんである。
また、本発明にかかる多目的作業に同時に使用可能なジェットポンプ装置１は、上述したように、洗浄作業部３と、脱水作業部４と、搬送作業部５とを備えた現場に実施する場合に限られず、種々な作業を一連に行うもの、例えば食品製造工場内での食品の洗浄作業、流送作業、集塵作業、混練作業、煙等の捕捉作業等の各種作業を同時の行う場合や、そのような作業を行うように設定されるシステムにも組み込んで使用することができるのは言うまでもないことである。
【図面の簡単な説明】
【００３２】
【図１】は本発明にかかる多目的作業に同時に使用可能なジェットポンプ装置の概略の構成を示す縦断面図である。
【図２】は本発明にかかる多目的作業に同時に使用可能なジェットポンプ装置の噴射ノズル部分の縦断側面である。
【図３】は本発明にかかる多目的作業に同時に使用可能なジェットポンプ装置における仮想ピストンの作用説明図である。
【符号の説明】
【００３３】
１・・・ジェットポンプ装置
２・・・圧力水形成部（圧力流体供給源）
３・・・洗浄作業部
４・・・脱水作業部
５・・・搬送作業部
８・・・加圧ポンプ
９・・・分流路
１０・・・分岐管
１２・・・洗浄用噴射ノズル
２５・・・高負圧形成用直管部分（負圧形成管）
２６・・・多量負圧形成用直管部分（負圧形成管）
３０・・・第一噴射ノズル部分
３１・・・第一噴射ノズル部分の噴口
３２・・・混気部
３３・・・第二噴射ノズル部分
２１・４３・４６・４８・４９・・・開閉弁
ＭＪＰ・・・ジェットポンプ
【図１】
0004913702.tif 000002
【図２】
0004913702.tif 000003
【図３】
0004913702.tif 000004